(57)【特許請求の範囲】
【請求項１】
負荷の電源を商用電源と分散電源との間で切り替える切替開閉部と、切り替えを駆動する切替駆動部と、商用電源の停電／復電を監視して前記切替駆動部を制御する制御部とを有して、商用電源に停電が発生したら前記負荷の電源を分散電源に切り替え、復電したら商用電源に切り替える電源自動切替装置であって、
前記切替開閉部は、手動で電源の切り替えを行うための操作ハンドルを有する一方、
前記切替駆動部は、前記操作ハンドルに係合して当該操作ハンドルを操作して電源の切り替えを行うハンドルフック部を有し、
更に前記ハンドルフック部の動作角度を検出する角度検知手段を有し、
前記制御部は、前記角度検知手段から入手する前記ハンドルフック部の角度情報を基に前記操作ハンドルを制御することを特徴とする電源自動切替装置。
【請求項２】
前記ハンドルフック部の前記操作ハンドルへの係脱を検出する係脱検知手段を有し、
前記制御部は、前記係脱検知手段の情報を基に、前記ハンドルフック部が前記操作ハンドルから外れたら、前記ハンドルフック部を操作ハンドルオフ位置となる中立位置に移動させて自動切替制御を停止することを特徴とする請求項１記載の電源自動切替装置。
【請求項３】
前記切替開閉部は、商用電源が接続される第１回路接続端子と、分散電源が接続される第２回路接続端子と、負荷が接続される第３回路接続端子とを有し、
前記第２回路接続端子及び前記第３回路接続端子が、漏電ブレーカ或いは分岐ブレーカのプラグイン式の端子の接続を可能とする銅バー型端子であることを特徴とする請求項１又は２記載の電源自動切替装置。
【請求項４】
前記切替開閉部は、前記切替駆動部及び前記制御部と分離可能なハウジングに組み付けられ、
前記ハウジングの上面に前記操作ハンドル、前面側に前記第１回路接続端子、背面に前記第２回路接続端子及び第３回路接続端子が配置されてなり、
前記切替駆動部及び前記制御部は、前記ハウジングの側部に組み付けられて成ることを特徴とする請求項３記載の電源自動切替装置。
【請求項５】
前記ハンドルフック部、前記切替駆動部及び前記制御部は一体に形成され、前記ハウジングに取り外し可能に組み付けられて成ることを特徴とする請求項４記載の電源自動切替装置。
【請求項６】
前記切替駆動部はモータを具備し、前記ハウジングには、前記モータの少なくとも一部を収容する凹部が形成されて成ることを特徴とする請求項４又は５記載の電源自動切替装置。
【発明の詳細な説明】
【技術分野】
【０００１】
本発明は、商用電源に停電が発生したら分散電源に切り替えて特定の負荷に継続して電源を供給する電源自動切替装置に関する。
【背景技術】
【０００２】
停電発生時に、非常用電灯や冷蔵庫等の特定の電気機器の電源を商用電源から蓄電池等の分散電源に切り替えることで、停電発生による障害や被害の発生を削減できる分電盤がある。例えば特許文献１では、自動で切替動作する切替開閉器を分電盤に設置して停電が発生したら特定の電気機器の電源を商用電源から蓄電池等の分散電源に切り替えて、引き続き稼働するよう構成されている。
一方で、負荷等の電源を２系統のうちの何れか一方に切り替えるために手動で操作する切替開閉器として特許文献２に記載されたものがある。これは、何れにも接続されない中立位置を備えている。
【先行技術文献】
【特許文献】
【０００３】
【特許文献１】特開２０１６−３９７５５号公報
【特許文献２】特開２０１５−２１０９８２号公報
【発明の概要】
【発明が解決しようとする課題】
【０００４】
上記特許文献１に開示された分電盤に組み付けられている切替開閉器は、自動切替専用の構造であり、手動で切り替える切替開閉器に比べてコスト高であった。また、手動で切り替えるための操作ハンドルを持たないため、メンテナンスや電源の状態に関わらず分散電源に切り替えたい場合操作が面倒であった。
そのため、手動操作する従来の切替開閉器を大きく変更すること無く、アダプタの接続等で自動切替を可能とすれば、手動での切替機能を生かしつつ自動切替も可能となるし、自動切り替えの為の新たな切替開閉器を製作する必要もないためコストも抑制できる。
【０００５】
そこで、本発明はこのような問題点に鑑み、従来よりある操作ハンドルを有して手動切替を実施できる構造を大きく変更せず、手動操作の機能を維持した状態で停電時は商用電源から蓄電池等の分散電源への自動切り替えを可能とした電源自動切替装置を提供することを目的としている。
【課題を解決するための手段】
【０００６】
上記課題を解決する為に、請求項１の発明は、負荷の電源を商用電源と分散電源との間で切り替える切替開閉部と、切り替えを駆動する切替駆動部と、商用電源の停電／復電を監視して切替駆動部を制御する制御部とを有して、商用電源に停電が発生したら負荷の電源を分散電源に切り替え、復電したら商用電源に切り替える電源自動切替装置であって、切替開閉部は、手動で電源の切り替えを行うための操作ハンドルを有する一方、切替駆動部は、操作ハンドルに係合して当該操作ハンドルを操作して電源の切り替えを行うハンドルフック部を有し、更にハンドルフック部の動作角度を検出する角度検知手段を有し、制御部は、角度検知手段から入手するハンドルフック部の角度情報を基に操作ハンドルを制御することを特徴とする。
この構成によれば、制御したハンドルフック部の動作角度、即ち操作ハンドルの傾倒角度を検知して制御するため、操作ハンドルを操作して切り替えを行う制御を確実に実施できる。一方で、切替開閉部は操作ハンドルを有するためマニュアル操作が可能であり、停電／復電に拘わらず容易に切り替えを実施でき、利便性がよい。
また、操作ハンドルにハンドルフック部を係合させて操作するため、従来の手動操作型の切替開閉器を大きく変更すること無く自動切替が可能であり、低コストでの自動切替を実施できる。
【０００７】
請求項２の発明は、請求項１に記載の構成において、ハンドルフック部の操作ハンドルへの係脱を検出する係脱検知手段を有し、制御部は、係脱検知手段の情報を基に、ハンドルフック部が操作ハンドルから外れたら、ハンドルフック部を操作ハンドルオフ位置となる中立位置に移動させて自動切替制御を停止することを特徴とする。
この構成によれば、ハンドルフック部が外れたら、或いはハンドルフック部が外されたら、操作ハンドルオフ位置にハンドルフック部が移動するため、装着操作は必ず切替開閉部がオフ状態で実施でき装着操作し易い。更に、ハンドルフック部が操作ハンドルから外れたら制御を停止するため、誤動作を防止できる。
【０００８】
請求項３の発明は、請求項１又は２に記載の構成において、  切替開閉部は、商用電源が接続される第１回路接続端子と、分散電源が接続される第２回路接続端子と、負荷が接続される第３回路接続端子とを有し、第２回路接続端子及び第３回路接続端子が、漏電ブレーカ或いは分岐ブレーカのプラグイン式の端子の接続を可能とする銅バー型端子であることを特徴とする。
この構成によれば、第２回路接続端子と第３回路接続端子が銅バー型端子であるため、第３回路接続端子に一次側接続端子がプラグイン式の分岐ブレーカを直接接続できるし、第２回路接続端子に二次側接続端子がプラグイン式の漏電ブレーカを直接接続できる。よって、切替開閉部から分岐ブレーカまで配電路が必要ないし、分散電源が接続される漏電ブレーカから切替開閉部までの配電路も必要なくなり、電源を切り替えるための回路を省スペースで形成できる。
【０００９】
請求項４の発明は、請求項３に記載の構成において、切替開閉部は、切替駆動部及び制御部と分離可能なハウジングに組み付けられ、ハウジングの上面に操作ハンドル、前面側に第１回路接続端子、背面に第２回路接続端子及び第３回路接続端子が配置されてなり、切替駆動部及び制御部は、ハウジングの側部に組み付けられて成ることを特徴とする。
この構成によれば、切替開閉部は専用のハウジングで形成されるため、切替駆動部及び制御部を取り外したら手動の切替開閉器としての使用が可能となり、手動／自動の構成変更を容易に実施できる。
【００１０】
請求項５の発明は、請求項４に記載の構成において、ハンドルフック部、切替駆動部及び制御部は一体に形成され、ハウジングに取り外し可能に組み付けられて成ることを特徴とする。
この構成によれば、ハンドルフック部、切替駆動部、及び制御部が一体に構成されていることで、ハウジングからの着脱を容易に実施でき、手動／自動の切り替えを容易に実施できる。
【００１１】
請求項６の発明は、請求項４又は５に記載の構成において、切替駆動部はモータを具備し、ハウジングには、モータの少なくとも一部を収容する凹部が形成されて成ることを特徴とする。
この構成によれば、奥行きのあるモータは切替開閉器のハウジングに収容できるため、切替駆動部をハウジングに組み付けても大きく突出する部位が無いように構成でき、省スペースで組み付けできる。
【発明の効果】
【００１２】
本発明によれば、制御したハンドルフック部の動作角度、即ち操作ハンドルの傾倒角度を検知して制御するため、操作ハンドルを操作して切り替えを行う制御を確実に実施できる。一方で、切替開閉部は操作ハンドルを有するためマニュアル操作が可能であり、停電／復電に拘わらず容易に切り替えを実施でき、利便性がよい。
また、操作ハンドルにハンドルフック部を係合させて操作するため、従来の手動操作型の切替開閉器を大きく変更すること無く自動切替が可能であり、低コストでの自動切替を実施できる。
【図面の簡単な説明】
【００１３】
【図１】本発明に係る電源自動切替装置の一例を示す斜視説明図であり、分岐ブレーカを合わせて示している。
【図２】切替開閉部を構成するハウジングと切替駆動制御部とを分離した電源自動切替装置の斜視説明図であり、接続される分岐ブレーカ及び漏電ブレーカを合わせて示している。
【図３】図１の一部カバーを外し、更に要部の拡大図を示した斜視説明図である。
【図４】電源自動切替装置の平面図であり、分岐ブレーカ、漏電ブレーカを合わせて示している。
【図５】切替開閉部の内部回路図である。
【図６】切替駆動制御部の回路ブロック図である。
【図７】Ａ−Ａ線断面図である。
【図８】Ｂ−Ｂ線断面図である。
【図９】Ｃ−Ｃ線断面図である。
【図１０】切替開閉部を一方に接続操作した状態のＣ−Ｃ線断面図である。
【発明を実施するための形態】
【００１４】
以下、本発明を具体化した実施の形態を、図面を参照して詳細に説明する。図１〜４は本発明に係る電源自動切替装置の一例を示し、図１は斜視説明図、図２は切替開閉部を構成するハウジングと切替駆動制御部とを分離した斜視説明図、図３は一部カバーを外し更に要部の拡大図を示した斜視説明図、図４は平面図である。何れも、接続される分岐ブレーカや漏電ブレーカを合わせて示している。１が電源自動切替装置、２が分岐ブレーカ、３が漏電ブレーカであり、単相３線式電路を切り替える構成を示している。
【００１５】
電源自動切替装置１は、切替開閉部４と切替駆動制御部５とで構成され、切替開閉部４は、ハウジング１０の上面に切替操作する操作ハンドル１１が配置され、前方（図４に示す右側）に後述する一対の固定接点１７（１７Ａ，１７Ｂ）のうちの一方の固定接点１７Ａに接続されている第１回路接続端子１２（第１電圧極端子１２ａ，中性極端子１２ｂ，第２電圧極端子１２ｃ）が配置され、ハウジング１０の背面（図４に示す左側）には、他方の固定接点１７Ｂに接続されている第２回路接続端子１３（第１電圧極端子１３ａ，中性極端子１３ｂ，第２電圧極端子１３ｃ）が配置されている。また、後述する可動接点１５に接続されている第３回路接続端子１４（第１電圧極端子１４ａ，中性極端子１４ｂ，第２電圧極端子１４ｃ）も背面に配置されている。尚、６は端子を保護する端子カバーである。
このように、切替開閉部４は１つのハウジング１０で構成され、手動で切り替えが可能な切替開閉器を構成している。
【００１６】
第１回路接続端子１２は、ネジ８（図７に示す）により図示しないケーブルを接続固定するネジ式端子であり、左右方向にそれぞれ３個連設され、図４に示すように第１電圧極端子１２ａ、中性極端子１２ｂ、第２電圧極端子１２ｃの順で配置されている。
一方、第２及び第３回路接続端子１３，１４は平坦な起立面に隣接して配置され、それぞれの端子が横長の銅バー型端子で形成されている。何れも、上下方向に３本の銅バー型端子が並べて配置され、上から中性極端子１３ｂ、１４ｂ，第１電圧極端子１３ａ，１４ａ，第２電圧極端子１３ｃ，１４ｃと配置されている。特に、第３回路接続端子１４は幅広に形成されて複数の分岐ブレーカ２を隣接して接続できるよう形成されている。
【００１７】
分岐ブレーカ２は概略を示し、開閉操作する操作レバーや二次側端子は省略してある。但し、一次側端子２１は、図２に示すように分岐ブレーカ２の背面において横方向に切り欠きを設けて形成されたプラグイン式の端子であり、水平方向に配置された銅バー型端子（第３回路接続端子１４）を上下から挟持して接続する構造となっている。そして、この一次側端子２１は３端子が縦に並べて配置され、上から中性極端子２１ｂ、第１電圧極端子２１ａ、第２電圧極端子２１ｃと配列され、切替開閉部４の第３回路接続端子１４に直接接続される。
【００１８】
漏電ブレーカ３は、分岐ブレーカ２と概略同一形状を成し、上面に操作レバー３１が配置され、一次側端子３２が傾斜形成された前面に配置され、二次側端子３３が背面に配置されている。双方の端子とも縦に３連で配置され、一次側端子３２は即結端子で形成されている。一方、二次側端子３３は分岐ブレーカ２の一次側端子２１と同様に横方向に切り欠きを設けて形成されたプラグイン式の端子となっており、中性極端子３３ｂ，第１電圧極端子３３ａ，第２電圧極端子３３ｃの順に配置され、切替開閉部４の第２回路接続端子１３に直接接続される。尚、９は蓄電池等の分散電源回路のケーブルを示してる。
【００１９】
このように、第２回路接続端子１３と第３回路接続端子１４が銅バー型端子であるため、第３回路接続端子１４に一次側接続端子がプラグイン式の分岐ブレーカ２を直接接続できるし、第２回路接続端子１３に二次側接続端子がプラグイン式の漏電ブレーカ３を直接接続できる。よって、切替開閉部４から分岐ブレーカ２まで配電路が必要ないし、分散電源が接続される漏電ブレーカ３から切替開閉部４までの配電路も必要なくなり、電源を切り替えるための回路を省スペースで形成できる。
【００２０】
図５は切替開閉部４の回路図、即ち切替開閉器を構成するハウジング１０の内部回路図である。図５に示すように、各接続端子１２（１２ａ〜１２ｃ），１３（１３ａ〜１３ｃ），１４（１４ａ〜１４ｃ）は３連で構成されている。そして第３回路接続端子１４は、操作ハンドル１１の操作により、第１回路接続端子１２と第２回路接続端子１３の間で切り替え接続を実施し、接続されない中立の開放状態を含めて３姿勢を選択可能となっている。
【００２１】
具体的に、この電源自動切替装置１が、停電時に電源を商用電源から分散電源として蓄電池を備えた蓄電池電源回路に切り替える回路に使用される場合、第３回路接続端子１４に分岐ブレーカ（特定分岐ブレーカ）２を介して電気機器（特定負荷）が接続された回路が接続され、第１回路接続端子１２に商用電源が接続された商用電源回路が接続され、第２回路接続端子１３に漏電ブレーカ３を介して蓄電池電源回路（分散電源系統回路）が接続され、後述するように商用電源の停電を検知したら電源の切り替えがなされる。
【００２２】
切替駆動制御部５は、金属製板状の基台５１に、ハンドルフック部５２、モータ５３、及びモータ５３の回転をハンドルフック部５２に伝達する伝達機構部５４から成る切替駆動部５０、モータ５３を制御して切り替えを実施する制御回路（制御部）を収容した回路収容部５５、ハンドルフック部５２の操作ハンドル１１への係脱状態を検知する係脱センサ５７が組み付けられ、更にハンドルフック部５２の動作角度を検知するための３個のフォトインタラプタ５８が固定片５１ａを介して基台５１に組み付けられて構成されている。
この基台５１は、ハウジング１０にネジ止めされて固定され、切替駆動制御部は切替開閉部４と一体化される。また、ハウジング１０に固定された切替駆動制御部５は、同様にハウジング１０にネジ止め固定されたカバー枠５６で覆われる。
このように、ハンドルフック部５２、切替駆動部５０、及び回路収容部５５が一体に構成されていることで、ハウジング１０からの着脱を容易に実施でき、手動／自動の構成変更を容易に実施できる。
【００２３】
ハンドルフック部５２は、操作ハンドル１１全体を覆う蓋状に形成され、操作ハンドル１１の側部側に位置する端部が伝達機構部５４の回動片５４ｂに軸着されている。ハンドルフック部５２は、この軸着部を中心にハウジング１０の左右方向に傾倒／起立操作でき、操作ハンドル１１に対して係脱自在に構成されている。図１はハンドルフック部５２を途中まで傾倒した状態を示し、矢印Ｐ１に示す方向へ水平になるまで傾倒すると、図３に示すように操作ハンドル１１を覆い、図示しない係止部に係止して操作ハンドル１１と係合する。
【００２４】
また、ハンドルフック部５２が軸着された回動片５４ｂには、伝達機構部５４を構成する歯車５４ａが設けられており、モータ５３の駆動により回転する歯車５４ｃを介して歯車５４ａが回転し、ハンドルフック部５２がケース１０の前後方向に回動する。こうして、操作ハンドル１１が前方或いは後方に傾倒する。
そして、モータ５３は組み付けるハウジング１０の方向に突出した状態で基台５１に組み付けられているが、ハウジング１０のモータ５３の位置に対応する部位には筒状の凹部１０ａが形成されており、モータ５３の突出部を収納可能としている。
【００２５】
このように、奥行きのあるモータ５３は切替開閉部４のハウジング１０に収容できるため、切替駆動制御部５をハウジング１０に組み付けても大きく突出する部位が無いよう構成でき、省スペースで組み付けできる。
尚、図３の拡大図に示すように、回動片５４ｂには、フォトインタラプタ５８に係合して回動片５７ｂの回動角度を認識するための係合片５９が取り付けられている。
【００２６】
図６は切替駆動制御部５の回路ブロック図を示している。図６に示すように、モータ５３を制御する制御回路６１、制御回路６１及びモータ５３に電源を供給する電源回路６２、商用電源の有無を検出する商用電源電圧センサ６３、蓄電池電源の有無を検出する蓄電池電源電圧センサ６４、蓄電池電源を開閉する半導体スイッチから成る回路開閉スイッチ６５等を有している。尚、回路収容部５５には、制御回路６１と電源回路６２とが収納されている。
【００２７】
電源回路６２は商用電源回路及び蓄電池電源回路の双方に接続されており、制御回路６１は、商用電源が通電されている限り回路開閉スイッチ６５を開操作して電源回路６１の接続を商用電源回路のみとし、商用電源電圧センサ６３が停電を検知したら回路開閉スイッチ６５を閉操作して蓄電池電源回路を電源回路６２に接続する。そして、商用電源の復電を検知したら、回路開閉スイッチ６５を開操作する。
尚、蓄電池電源電圧センサ６４が電圧を検出しない場合は、停電が発生しても電源の切り替えを実施せず、回路開閉スイッチ６５は開操作される。
【００２８】
図７〜１０はハウジング１０を異なる部位で切断した断面図であり、以下この図を参照してハウジング１０の内部構造及び切替開閉部４の動作を説明する。図７は図３のＡ−Ａ線断面図であり、３つの第１電圧極端子１２ａ，１３ａ，１４ａの内部接続構造を示している。図７に示すように、ハウジング１０内には可動接点１５を前後両側に備えた可動接触子１６ａが操作ハンドル１１の下部で垂下するように配置され、その前後に一対の固定接点１７（１７Ａａ，１７Ｂａ）が配置されている。
可動接点１５は、可動接触子１６ａ、可動接触子１６ａに接続された可撓導線１８を介して第３回路接続端子１４の第１電圧極端子１４ａに接続されている。前方に配置された一方の固定接点１７Ａａは銅バー７ａを介して第１回路接続端子１２の第１電圧極端子１２ａに接続され、後方に配置された他方の固定接点１７Ｂａは銅バー７ｂを介して第２回路接続端子１３の第１電圧極端子１３ａ（図２に示す）に接続されている。
【００２９】
図８はＢ−Ｂ線断面図であり、３つの中性極端子１２ｂ，１３ｂ，１４ｂの内部接続構造を示している。図８に示すように、可動接点１５を前後両側に備えた可動接触子１６ｂが操作ハンドル１１の下部で垂下するように配置され、その前後に一対の固定接点１７（１７Ａｂ，１７Ｂｂ）が配置されている。
そして、上述した第１電圧極の構造と同様に、可動接点１５は、可動接触子１６ｂ、可撓導線１８を介して第３回路接続端子１４の中性極端子１４ｂに接続されている。前方に配置された一方の固定接点１７Ａｂは銅バー７ａを介して第１回路接続端子１２の中性極端子１２ｂに接続され、後方に配置された他方の固定接点１７Ｂｂは銅バー７ｂを介して第２回路接続端子１３の中性極端子１３ｂ（図２に示す）に接続されている。
【００３０】
更に、図９はＣ−Ｃ線断面図であり、３つの第２電圧極端子１２ｃ，１３ｃ，１４ｃの内部接続構造を示している。図９に示すように、可動接点１５を前後両側に備えた可動接触子１６ｃが操作ハンドル１１の下部で垂下するように配置され、その前後に一対の固定接点１７（１７Ａｃ，１７Ｂｃ）が配置されている。
そして、上述した第１電圧極の端子構造と同様に、可動接点１５は可動接触子１６ｃ、可撓導線１８を介して第３回路接続端子１４の第２電圧極端子１４ｃに接続されている。また、前方に配置された一方の固定接点１７Ａｃは銅バー７ａを介して第１回路接続端子１２の第２電圧極端子１２ｃに接続され、後方に配置された他方の固定接点１７Ｂｃは銅バー７ｂを介して第２回路接続端子１３の第２電圧極端子１３ｃ（図２に示す）に接続されている。
【００３１】
このように構成された切替開閉部４は以下のように切り替えが行われる。可動接触子１６は、操作ハンドル１１の操作で前後に回動するよう構成され、操作ハンドル１１を前方に傾倒する、即ちハンドルフック部５２が前方に回動して操作ハンドル１１を前方に傾倒させると、可動接触子１６も前方に回動する。また、操作ハンドル１１を後方に傾倒する、即ちハンドルフック部５２が後方に回動して操作ハンドル１１を後方に傾倒させると、可動接触子１６も後方に回動する。こうして、可動接点１５は一方の固定接点１７に選択接続される。
例えば、操作ハンドル１１が図４に示す右側（前方）に傾倒されると、可動接触子５は前方の固定接点１７Ａに接触して第１回路接続端子１２と第３回路接続端子１４とが接続される。図１０は、この接続状態，即ち操作ハンドル１１を前方に傾倒した状態のＣ−Ｃ線断面図である。
【００３２】
このように構成された切替開閉部４に対して、制御回路６１はモータ５３を制御して操作ハンドル１１を操作し、電源の切替操作を実施する。具体的に、商用電源回路が通電されている限り、即ち商用電源がある限り切替開閉部４の第３回路接続端子１４を第１回路接続端子１２に接続し、停電を検知したら第３回路接続端子１４を第２回路接続端子１３に接続させる。その後、商用電源の復電を検知したら接続を第１回路接続端子１２に戻す。
尚、この制御の際、商用電源回路との接続完了、蓄電池系統回路との接続完了、何れの回路にも接続しない中立状態の何れにあるかは、３個のフォトインタラプタ５８の信号を受けて判断がなされる。
【００３３】
また制御回路６１は、係脱センサ５７の信号からハンドルフック部５２が操作ハンドル１１から外れた状態、或いは起立操作されて操作ハンドルとの係合が外された状態を判断し、外れたと判断したらハンドルフック部５２を中立位置に戻して制御を停止する。
【００３４】
このように、制御したハンドルフック部５２の動作角度、即ち操作ハンドル１１の傾倒角度を検知して制御するため、操作ハンドル１１を操作して切り替えを行う制御を確実に実施できる。一方で、切替開閉部４は操作ハンドル１１を有するためマニュアル操作が可能であり、停電／復電に拘わらず容易に切り替えを実施でき、利便性がよい。
また、操作ハンドル１１にハンドルフック部５２を係合させて操作するため、従来の手動操作型の切替開閉器を大きく変更すること無く自動切替が可能であり、低コストでの自動切替を実施できる。
更に、ハンドルフック部５２が外れたら、或いはハンドルフック部５２が外されたら、操作ハンドル１１のオフ位置にハンドルフック部５２が移動するため、操作ハンドル１１への装着操作は必ず切替開閉部４がオフ状態で実施でき装着操作し易い。また、ハンドルフック部５２が操作ハンドル１１から外れたら制御を停止するため、誤動作を防止できる。
加えて、切替開閉部４は専用のハウジングで形成されるため、切替駆動部５０及び回路収容部５５を組み付けた切替駆動制御部５を取り外したら手動の切替開閉器としての使用が可能となり、自動／手動の切替装置を低コストで作製できる。
【００３５】
尚、上記実施形態では、商用電源回路、蓄電池電源回路の双方に電圧センサ６３，６４を設けているが、蓄電池電源電圧センサ６４は無くとも良く、商用電源の停電／復電を検知するだけでも制御は可能である。
また、単相３線式電路の切り替えについて説明したが、上記電源自動切替装置１は三相３線式電路の切り替えに対しても適用できるものである。
更に、分散電源を蓄電池として説明したが、燃料電池等であってもよい。
【符号の説明】
【００３６】
１・・電源自動切替装置、２・・分岐ブレーカ、３・・漏電ブレーカ、４・・切替開閉部、５・・切替駆動制御部、１０・・ハウジング、１０ａ・・凹部、１１・・操作ハンドル、１２・・第１回路接続端子、１３・・第２回路接続端子、１４・・第３回路接続端子、１５・・可動接点、１６・・可動接触子、１７・・固定接点、２１・・一次側端子、３３・・二次側端子、５０・・切替駆動部、５１・・基台、５２・・ハンドルフック部、５３・・モータ、５４・・伝達機構部、５５・・回路収容部、５７・・係脱センサ（係脱検知手段）、５８・・フォトインタラプタ（角度検知手段）６１・・制御回路（制御部）。
【図１】
0006656075.tif 000002
【図２】
0006656075.tif 000003
【図３】
0006656075.tif 000004
【図４】
0006656075.tif 000005
【図５】
0006656075.tif 000006
【図６】
0006656075.tif 000007
【図７】
0006656075.tif 000008
【図８】
0006656075.tif 000009
【図９】
0006656075.tif 000010
【図１０】
0006656075.tif 000011